(57)【要約】  ディスプレイ（３３０）と、生物に関するバイタルデータを取得して、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像をディスプレイ（３３０）に表示させるためのプロセッサ（３１０）とを備える、情報処理装置が提供される。
2019107266.tif 000002
【特許請求の範囲】
【請求項１】
ディスプレイと、
生物に関するバイタルデータを取得して、横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する複数のタイミング毎のデータをプロットした画像を前記ディスプレイに表示させるためのプロセッサとを備える、情報処理装置。
【請求項２】
前記プロセッサは、前記グラフとともに、前記生物の精神的状態または肉体的状態の判定基準となる範囲を前記ディスプレイに表示させる、請求項１に記載の情報処理装置。
【請求項３】
前記プロセッサは、前記グラフとともに、前記生物の種類に関して正常な範囲を前記ディスプレイに表示させる、請求項１または２に記載の情報処理装置。
【請求項４】
前記プロセッサは、前記グラフとともに、前記プロットの密度を示す等高線を前記ディスプレイに表示させる、請求項１〜３のいずれかに記載の情報処理装置。
【請求項５】
前記プロセッサは、前記グラフとともに、所定の期間毎の前記プロットの密度を示す等高線を前記ディスプレイに表示させる、請求項１〜３のいずれかに記載の情報処理装置。
【請求項６】
生物に関するバイタルデータを取得するステップと、
複数のタイミング毎の前記生物の自律神経バランスを示す数値を計算するステップと、
前記複数のタイミング毎の前記生物の自律神経バランスとは異なる種類の前記バイタルデータに基づく数値を計算するステップと、
横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する前記複数のタイミング毎のデータをプロットした画像をディスプレイに表示させるステップと、をプロセッサに実行させる状態取得プログラム。
【請求項７】
出力装置と通信するための通信インターフェイスと、
前記通信インターフェイスを介して、生物に関するバイタルデータを取得して、横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する複数のタイミング毎のデータをプロットした画像を前記出力装置に表示させるためのプロセッサとを備える、サーバ。
【請求項８】
サーバにおける情報処理方法であって、
生物に関するバイタルデータを受信するステップと、
複数のタイミング毎に前記生物の自律神経バランスを示す数値を計算するステップと、
前記複数のタイミング毎に前記生物の自律神経バランスとは異なる種類の前記バイタルデータに基づく数値を計算するステップと、
横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する前記複数のタイミング毎のデータをプロットした画像を出力装置に表示させるステップとを備える情報処理方法。
【発明の詳細な説明】
【技術分野】
【０００１】
本出願は、２０１７年１１月２９日に出願された日本国特許出願：「特願２０１７−２２９０２７」に対して、優先権の利益を主張するものであり、それを参照することにより、その内容の全てを本書に含めるものである。【０００２】
以下の開示は、生物の精神的状態または肉体的状態を取得するための技術に関する。
【背景技術】
【０００３】
従来から、生物の精神的または肉体的な状態を取得するための技術が知られている。例えば、日本国公開特許公報「特開２０１０−１５５１６６号公報」（特許文献１）には、脈波診断装置及び脈波診断装置制御方法が開示されている。特許文献１によると、脈波診断装置及び脈波診断装置制御方法は、光電センサを用いて脈波を検出し、検出した脈波から脈波の変動を算出することを特徴とする。具体的には、脈波診断装置制御方法は、動脈を透過した透過光又は動脈で散乱された散乱光を受光して脈波を検出する光電脈波検出部と、前記光電脈波検出部の検出する脈波の１拍ごとの脈波振幅を算出し、連続して算出された２つの前記脈波振幅同士で形成される直交座標平面上での前記脈波振幅の点をポアンカレ座標として１拍ごとに算出する脈波振幅ポアンカレ算出部と、を備えることを特徴とする。
【先行技術文献】
【特許文献】
【０００４】
【特許文献１】日本国公開特許公報「特開２０１０−１５５１６６号公報」
【発明の概要】
【発明が解決しようとする課題】
【０００５】
本開示の目的は、生物の精神的状態または肉体的状態を従来よりも正確に把握したり、あるいは従来よりも効率的に把握したりすることができる情報処理装置、状態取得プログラム、サーバ、および情報処理方法を提供することにある。
【課題を解決するための手段】
【０００６】
本開示のある態様に従うと、ディスプレイと、生物に関するバイタルデータを取得して、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像をディスプレイに表示させるためのプロセッサとを備える、情報処理装置が提供される。
【発明の効果】
【０００７】
以上のように、本開示によれば、生物の精神的状態または肉体的状態を従来よりも正確に把握したり、あるいは従来よりも効率的に把握したりすることができる情報処理装置、状態取得プログラム、サーバ、および情報処理方法が提供される。
【図面の簡単な説明】
【０００８】
【図１】第１の実施の形態にかかる情報処理システム１の全体構成を示す図である。
【図２】第１の実施の形態にかかる情報処理システム１の機能構成を示す図である。
【図３】第１の実施の形態にかかる情報処理システム１の第１の自律神経バランスを算出するための処理手順を示すフローチャートである。
【図４】第１の実施の形態にかかる心電データと拍動間隔との例である。
【図５】第１の実施の形態にかかる拍動間隔Ｒ−Ｒ（ｎ）とその次の拍動間隔Ｒ−Ｒ（ｎ＋１）との対応関係テーブルを示す図である。
【図６】第１の実施の形態にかかる拍動間隔Ｒ−Ｒ（ｎ）とその次の拍動間隔Ｒ−Ｒ（ｎ＋１）との対応関係テーブル３２１ＡからＹ＝Ｘ方向とそれに垂直な方向の軸への変換を示すイメージ図である。
【図７】第１の実施の形態にかかる犬の精神的状態または肉体的状態毎の、第１の自律神経バランスとしての、Ｙ＝Ｘ軸に関する標準偏差と、Ｙ＝Ｘと垂直な軸に関する標準偏差との目安を示す表である。
【図８】第１の実施の形態にかかる犬の興奮状態におけるポアンカレプロット図である。
【図９】第１の実施の形態にかかる犬の通常状態で呼吸が安定している状態におけるポアンカレプロット図である。
【図１０】第１の実施の形態にかかる犬の通常状態におけるポアンカレプロット図である。
【図１１】第１の実施の形態にかかる犬の安静状態におけるポアンカレプロット図である。
【図１２】第１の実施の形態にかかる情報処理システム１の第２の自律神経バランスを算出するための処理手順を示すフローチャートである。
【図１３】第１の実施の形態にかかる犬の精神的または肉体的状態毎の、Ｙ＝Ｘ軸に関する標準偏差と、Ｙ＝Ｘと垂直な軸に関する標準偏差と、第２の自律神経バランスとしての標準偏差の積と、標準偏差の比との目安を示す表である。
【図１４】第１の実施の形態にかかる情報処理システム１の呼吸数を算出するための第１の処理手順を示すフローチャートである。
【図１５】第１の実施の形態にかかる拍動検出タイミングと拍動間隔との関係の例である。
【図１６】第１の実施の形態にかかるパワースペクトル分布の例である。
【図１７】第１の実施の形態にかかる犬の安静時におけるスプライン補間後のＲＲＩ変動とパワースペクトル分布との例である。
【図１８】第１の実施の形態にかかる犬の興奮時におけるスプライン補間後のＲＲＩ変動とパワースペクトル分布との例である。
【図１９】第１の実施の形態による呼吸数の取得方法の効果の例である。
【図２０】第１の実施の形態にかかる情報処理システム１の呼吸数の第２の処理手順を示すフローチャートである。
【図２１】第１の実施の形態にかかる出力グラフを示すイメージ図である。
【図２２】第１の実施の形態にかかる情報処理システム１の診断グラフの描画の処理手順を示すフローチャートである。
【図２３】第２の実施の形態にかかる第１の診断グラフを示すイメージ図である。
【図２４】第２の実施の形態にかかる第２の診断グラフを示すイメージ図である。
【図２５】第２の実施の形態にかかる第３の診断グラフを示すイメージ図である。
【図２６】第４の実施の形態にかかる診断グラフを示すイメージ図である。
【図２７】第５の実施の形態にかかる第１の診断グラフを示すイメージ図である。
【図２８】第５の実施の形態にかかる第２の診断グラフを示すイメージ図である。
【図２９】第６の実施の形態にかかる第１の情報処理システム１の機能構成を示す図である。
【図３０】第６の実施の形態にかかる第２の情報処理システム１の機能構成を示す図である。
【図３１】第６の実施の形態にかかる第３の情報処理システム１の機能構成を示す図である。
【図３２】第６の実施の形態にかかる第４の情報処理システム１の機能構成を示す図である。
【発明を実施するための形態】
【０００９】
以下、図面を参照しつつ、本開示の実施の形態について説明する。以下の説明では、同一の部品には同一の符号を付してある。それらの名称および機能も同じである。したがって、それらについての詳細な説明は繰り返さない。
＜第１の実施の形態＞
＜情報処理システムの全体構成＞
【００１０】
まず、図１を参照して、本実施の形態にかかる情報処理システム１の全体構成について説明する。図１は、本実施の形態にかかる情報処理システム１の全体構成を示す図である。なお、以下では、生物を代表して、呼吸性の不整脈を有する犬の状態を判断する場合について説明する。
【００１１】
本実施の形態にかかる情報処理システム１は、主に、犬の胸部に取り付けられる心電取得用の電極４０１，４０２，４０３と、心電信号を処理するための信号処理装置５００と、信号処理装置５００と通信可能な診断端末３００とを含む。
【００１２】
心電取得用の電極４０１，４０２，４０３は、胸部等において、心臓部を挟むような位置に取り付けることが望ましく、例えば、両前足（または、前足と後ろ足）の肉球部など毛の生えていない場所であってもよい。また、毛を刈った状態であるか、ゲルなどが付着した電極、あるいは、突起状の構造を持ち、毛があっても皮膚と接触する構成であることが望ましい。あるいは、毛がある状態で、非接触で容量性材料を介して心電を誘導する形態が望ましい。それにより、犬等の表皮が毛に覆われた生物であっても心電を取得することが可能となる。本実施の形態においては、３個の電極４０１，４０２，４０３を使用する構成としているが、電極は、２個以上であればよく、さらに、多くの電極を使用する構成としてもよい。
＜情報処理システムの機能構成と処理手順＞
【００１３】
次に、図２および図３を参照して、本実施の形態にかかる情報処理システム１の機能構成と処理手順とについて説明する。図２は、本実施の形態にかかる情報処理システム１の機能構成を示す図である。図３は、本実施の形態にかかる情報処理システム１の処理手順を示すフローチャートである。
【００１４】
まず、情報処理システム１の信号処理装置５００の構成について説明する。信号処理装置５００は、心電前処理部５１１と拍動間隔算出部５１２と送信部５６０を含む。
【００１５】
心電前処理部５１１は、フィルタや増幅器を含む。心電前処理部５１１は、電極４０１，４０２，４０３から送られている心電信号を拍動データに変換して、拍動間隔算出部５１２に受け渡す。
【００１６】
より詳細には、心電前処理部５１１には、ハイパスフィルタ、ローパスフィルタなどのフィルタ装置、オペアンプなどから構成される増幅装置、心電のアナログ信号をデジタル信号に変換するＡ／Ｄ変換装置等が含まれる。尚、フィルタ装置、増幅装置などは、ソフトウェアにより実装される形態であってもよい。また、Ａ／Ｄ変換装置においては、拍動間隔のゆらぎ量の差異が判別できる周期と精度でのサンプリングを行うことが望ましい。すなわち、少なくとも２５Ｈｚ以上の周波数で心電信号を取得することが望ましい。例えば、本実施の形態においては、１００Ｈｚでの心電信号のサンプリングを行っている。サンプリングの周波数を高めることにより、拍動間隔の揺らぎ量を正確に把握することが可能となる。
【００１７】
拍動間隔算出部５１２は、例えばＣＰＵ（Central Processing Unit）５１０がメモリのプログラムを実行することによって実現される。拍動間隔算出部５１２は、拍動データに基づいて、拍動間隔を逐次算出する。より詳細には、拍動間隔算出部５１２は、閾値検出などの方法により、心電のピーク信号（Ｒ波）を検出し、各心電のピークの間隔（時間）を算出する。拍動間隔の算出方法として、上記の他に、自己相関関数を用いた周期の導出や矩形波相関トリガを用いる方法などで行ってもよい。
【００１８】
本実施の形態においては、図４に示すように、拍動間隔算出部５１２は、連続して入力される心電信号に対して連続して拍動間隔の算出を実行する。拍動間隔算出部５１２は、算出した拍動間隔や拍動データ自体を、送信部５６０を介して診断端末３００に送信する。なお、送信部５６０は、例えば、アンテナやコネクタなどを含む通信インターフェイスによって実現される。
【００１９】
次に、診断端末３００の構成について説明する。診断端末３００は、受信部３６１、拍動間隔記憶部３２１、統計処理部３１１と、診断グラフ作成部３１２と、結果出力部３１３と、ディスプレイ３３０と、データ記憶部３２２と、送信部３６２とを含む。
【００２０】
まず、受信部３６１と送信部３６２は、例えば、アンテナやコネクタなどを含む通信インターフェイス３６０によって実現される。受信部３６１は、信号処理装置５００からの拍動間隔を示すデータを受信する（ステップＳ１０２）。
【００２１】
拍動間隔記憶部３２１は各種のメモリ３２０などによって構成され、信号処理装置５００から受信したデータを格納する。本実施の形態においては、ＣＰＵ３１０が、通信インターフェイス３６０を介して受信した拍動間隔を拍動間隔テーブルとして逐次メモリ３２０に蓄積していく（ステップＳ１０４）。ただし、これらのデータは、診断端末３００のメモリ３２０に記憶されてもよいし、診断端末３００からアクセス可能な他の装置に記憶されてもよい。
【００２２】
統計処理部３１１と、診断グラフ作成部３１２と、結果出力部３１３とは、例えばＣＰＵ３１０がメモリ３２０のプログラムを実行することによって実現される。統計処理部３１１は、一定時間単位、例えば、１分、１０分、１時間など、状態を判定するために必要な時間単位で、拍動間隔記憶部３２１から拍動間隔データを読み出して、図５に示すような、拍動間隔Ｒ−Ｒ（ｎ）とその次の拍動間隔Ｒ−Ｒ（ｎ＋１）との対応関係テーブル３２１Ａを作成する（ステップＳ１０６）。拍動間隔は、例えば、図に示すようにｍｓｅｃ（ミリセック）の単位で計算される。
【００２３】
統計処理部３１１は、図６に示すように、拍動間隔Ｒ−Ｒ（ｎ）とその次の拍動間隔Ｒ−Ｒ（ｎ＋１）との対応関係テーブルからＹ＝Ｘ方向とそれに垂直な方向の軸への変換を行う（ステップＳ１０８）。
【００２４】
統計処理部３１１は、自律神経バランスを示す数値としての、軸の変換を行った後のそれぞれの軸を構成する数値列に関する標準偏差を算出する（ステップＳ１１０）。なお、統計処理部３１１は、Ｙ＝Ｘ軸に関する標準偏差だけを算出してもよいし、Ｙ＝Ｘと垂直な軸に関する標準偏差だけを算出してもよいし、両方を算出してもよい。図７は、犬の精神状態または肉体的状態毎の、Ｙ＝Ｘ軸に関する標準偏差と、Ｙ＝Ｘと垂直な軸に関する標準偏差との目安を示す表である。
【００２５】
なお、統計処理部３１１は、主成分分析などの方法により分散が最大になる軸を特定し、当該軸と当該軸に垂直な軸に関する標準偏差を算出してもよい。さらには、統計処理部３１１は、軸変換を行わずに、Ｘ軸とＹ軸に関する標準偏差を算出するものであってもよい。分散の大きい方向がＸ軸方向とＹ軸方向である場合には、軸変換を行わなくとも、Ｘ軸とＹ軸の標準偏差を算出することで、ポアンカレプロットした拍動間隔のばらつき状態を評価できる。この場合、軸変換を行う必要が無いために、計算量を低減することができる。
【００２６】
結果出力部３１３は、例えば、診断端末３００の、あるいは外部の、ディスプレイ３３０やスピーカなどの出力装置に、標準偏差を表示させたり、音声メッセージを出力させたりする（ステップＳ１１４）。より詳細には、結果出力部３１３は、Ｙ＝Ｘ軸に関する標準偏差だけを出力させてもよいし、Ｙ＝Ｘと垂直な軸に関する標準偏差だけを出力させてもよいし、両方を出力させてもよいし、大きい方だけを出力させてもよいし、小さい方だけを出力させてもよい。
【００２７】
標準偏差を計算することにより、拍動間隔Ｒ−Ｒ（ｎ）とその次の拍動間隔Ｒ−Ｒ（ｎ＋１）とをそれぞれ軸としてポアンカレプロットした拍動間隔のばらつき状態が評価できる。ここでは、拍動間隔のばらつきの程度を自律神経バランスの程度とみなしている。なお、後述するように、自律神経バランスを示す数値は、軸変換後の標準偏差に限られるものではない。
【００２８】
本実施の形態においては、ＣＰＵ３１０は、所定の期間たとえば数分間毎の図３に示す計算を行い、当該計算結果を後述する診断グラフ作成のためにメモリ３２０のデータベースに蓄積していく。
【００２９】
なお、詳しくは後述するが、本実施の形態にかかる情報処理システム１は、図２に示すように診断端末３００が通信可能なサーバ１００を含む形態であってもよい。その場合、結果出力部３１３としてのＣＰＵ３１０は、標準偏差や関係テーブルなどデータ記憶部３２２に蓄積したり、送信部３６２を利用することによって、インターネットなどを介してサーバ１００に送信したりする。これによって、今回の出力結果を観察対象の短期または長期のストレス状態の把握などに利用することができる。
【００３０】
本実施の形態においては、ステップＳ１０８とは別に、診断グラフ作成部３１２は、図５の対応関係テーブルから、標準偏差の計算に使用した範囲の拍動間隔Ｒ−Ｒ（ｎ）とその次の拍動間隔Ｒ−Ｒ（ｎ＋１）とのデータを取得して、図８〜図１１に示すようなポアンカレプロット図を作成する。
【００３１】
そして、結果出力部３１３は、作成されたポアンカレプロット図を、診断端末３００のディスプレイまたは外部のディスプレイなどの出力装置に表示させる。なお、診断グラフ作成部３１２は、ステップＳ１０８の結果を利用して、軸変換後のポアンカレプロット図を作成して出力してもよい。
【００３２】
ここで、ポアンカレプロット図に関して説明する。図８は、本実施の形態にかかる犬の興奮状態におけるポアンカレプロット図である。図９は、本実施の形態にかかる犬の通常状態で呼吸が安定している状態におけるポアンカレプロット図である。図１０は、本実施の形態にかかる犬の通常状態におけるポアンカレプロット図である。図１１は、本実施の形態にかかる犬の安静状態におけるポアンカレプロット図である。
【００３３】
まず、例えば犬などの呼吸性の不整脈を有する生物の場合、図８のような興奮状態においては、心拍数が上昇し（拍動間隔は短くなる）、拍動間隔の揺らぎは小さくなり、プロットの点が一定の場所に集まるような状態になる。
【００３４】
そして、図９のような呼吸が安定している通常の状態においては、心拍数が安静状態ほどは少なくない（プロットの点の広がりが安静状態ほど大きくない）が、プロット点の分布の中心にプロットが少ない（穴の空白）領域が存在する。このような形状になるのは、犬の心拍が呼吸の影響を大きく受けるため、拍動変動が周期的に変化することが原因と考えられる（呼吸性不整脈）。そのため、リラックスした緩やかな拍動ではないが、呼吸が安定して行われているため、空白の存在する状態になると考えられる。
【００３５】
そして、図１０のような通常状態においては、拍動に揺らぎがみられ、ばらつきは大きくなる（プロット点が広がる）が、プロット点が散乱している状態となる。
【００３６】
そして、図１１の安静状態においては、犬がリラックスしているために拍動の間隔が大きくなり、さらに呼吸性不整脈の影響を大きく受けるために、プロット点の広がりが大きくなると共に、円形や四角形に近い形状や、三角形に近い形状となる。そのいずれの形状においても、安静状態ではポアンカレプロットのプロット点の分布の中心部に空白部分が見られる形状となる。
【００３７】
このように、本実施の形態においては、算出結果に基づいて間接的に、ポアンカレプロットのプロット点の分布の広がりの大きさや形状、中心部にプロットが多くみられるか少なくみられるかを予想することができ、その結果、生物の精神的状態または肉体的状態を予想することができる。そして、上述した通り、統計処理部３１１は、自律神経バランスを示す数値として、ポアンカレプロットのバラツキ具合すなわち拍動間隔の標準偏差を算出するものである。
＜自律神経バランスの数値に関する別の形態＞
【００３８】
上記の実施の形態においては、診断端末３００が、ポアンカレプロットのＹ＝Ｘの軸に沿った標準偏差またはＹ＝Ｘと垂直な軸に沿った標準偏差を出力するものであった。しかしながら、自律神経バランスを示す数値として、それら２つの標準偏差の積を算出してもよい。以下では、図１２を参照して、本実施の形態にかかる情報処理システム１の処理手順について説明する。
【００３９】
図１２は、本実施の形態にかかる情報処理システム１の処理手順を示すフローチャートである。ステップＳ１０２〜ステップＳ１０８は、図３のものと同様であるため、ここでは説明を繰り返さない。
【００４０】
統計処理部３１１としてのＣＰＵ３１０は、軸の変換を行った後のそれぞれの軸に関する標準偏差を算出する（ステップＳ１１０）。なお、統計処理部３１１は、分散が最大になる軸を特定し、当該軸と当該軸に垂直な軸に関する標準偏差を算出してもよい。
【００４１】
そして、統計処理部３１１は、自律神経バランスを示す数値として、それらの２つの標準偏差の積や積の平方根などを計算する（ステップＳ１１２）。
【００４２】
結果出力部３１３は、例えば、診断端末３００の、または外部の、ディスプレイやスピーカなどの出力装置に、標準偏差の積や積の平方根などを表示させたり、音声メッセージを出力させたりする（ステップＳ１１４）。より詳細には、結果出力部３１３は、Ｙ＝Ｘ軸に関する標準偏差と、Ｙ＝−Ｘの軸に関する標準偏差と、両者の積や積の平方根などとを出力させてもよい。
【００４３】
図１３は、犬の精神状態または肉体的状態毎の、Ｙ＝Ｘ軸に関する標準偏差と、Ｙ＝Ｘと垂直な軸に関する標準偏差と、自律神経バランスを示す数値としての標準偏差の積や積の平方根などと、標準偏差の比との目安を示す表である。
【００４４】
標準偏差の積を計算することにより、拍動間隔Ｒ−Ｒ（ｎ）とその次の拍動間隔Ｒ−Ｒ（ｎ＋１）とをそれぞれ軸としてポアンカレプロットした拍動間隔の分布の広がりの大きさや形状、一様に分散している、中心に空白がある等のばらつき状態が評価できる。また、縦横比が同じで大きさのみ変化している状態や分布の広がり面積が同じで中心部のばらつき状態が異なる場合などに有効にばらつき状態を評価できる。
【００４５】
この場合も、結果出力部３１３は、標準偏差や標準偏差の積や積の平方根や対応関係テーブルなどをデータ記憶部３２２に蓄積したり、送信部３６２を利用することによって、インターネットなどを介してサーバ１００に送信したりする。これによって、今回の出力結果を観察対象の短期または長期のストレス状態の把握などに利用することができる。
【００４６】
統計処理部３１１は、２つの軸の標準偏差の積や積の平方根などを計算するものであるが、３つ以上の軸の標準偏差の積やその累乗根などを計算するものであってもよい。
【００４７】
ＣＰＵ３１０は、所定の期間たとえば数分間毎の図１２に示す計算を行い、当該計算結果を後述する診断グラフ作成のためにメモリ３２０のデータベースに蓄積していく。
＜呼吸数の計算方法＞
【００４８】
本実施の形態にかかる診断端末３００のＣＰＵ３１０は、対象となる生物の自律神経バランスを示す情報に加えて、当該対象となる生物の呼吸数を計算してもよい。図１４を参照して、診断端末３００のＣＰＵ３１０は、メモリ３２０のプログラムを実行することによって、たとえば以下の処理を実行する。
【００４９】
ＣＰＵ３１０は、図４に示すような拍動間隔を取得する（ステップＳ２０４）。ＣＰＵ３１０は、図１５に示すように、１分間の拍動検出時刻と拍動間隔の関係を数学的に補間（例えばスプライン補間）する（ステップＳ２０６）。より詳細には、ＣＰＵ３１０は、閾値検出などの方法により、心電のピーク信号（Ｒ波）を検出し、各心電のピークの間隔（時間）を算出する。拍動間隔の算出方法として、上記の他に、自己相関関数を用いた周期の導出や矩形波相関トリガを用いる方法などで行ってもよい。
【００５０】
そして、ＣＰＵ３１０は、図１６に示すように得られた関数の周波数解析を行う（ステップＳ２０８）。
【００５１】
ＣＰＵ３１０は、周波数解析で得られた図１６のようなパワースペクトル分布のなかで、任意の周波数範囲（例えば０．０５〜０．５Ｈｚの間）においてパワースペクトルの最大のピークを特定する（ステップＳ２１０）。ここでは一例として、ＣＰＵ３１０は、２番目に大きいピークに比べた最大のピークの割合が、任意の閾値以上の大きさ(例えば３倍）を有する場合には、「測定可能状態」と判別する。
【００５２】
より詳細には、例えば、屋内の静かな部屋でリラックスしている状態の犬のスプライン補間後のＲＲＩ変動は、図１７（ａ）に示すようなものとなる。この場合のパワースペクトル分布は、図１７（ｂ）に示すようなものとなり、２番目に大きいピークに比べた最大のピークの割合が、任意の閾値以上の大きさ(例えば３倍）を有するため、ＣＰＵ３１０は、「測定可能状態」と判別する。
【００５３】
逆に、例えば、屋外の騒がしい環境で落ち着きがない状態の犬のスプライン補間後のＲＲＩ変動は、図１８（ａ）に示すようなものとなる。この場合のパワースペクトル分布は、図１８（ｂ）に示すようなものとなり、２番目に大きいピークに比べた最大のピークの割合が、任意の閾値以上の大きさ(例えば３倍）を有さないため、ＣＰＵ３１０は、「測定不可能状態」と判別する。
【００５４】
ＣＰＵ３１０は、「測定不可能状態」と判別した場合は、別のタイミングに関して、信号処理装置５００が既に取得している拍動間隔に基づいて、ステップＳ１０６からの処理を繰り返す。
【００５５】
ＣＰＵ３１０は、「測定可能状態」と判別した場合に、各種のバイタルデータを検出する。たとえば、ＣＰＵ３１０は、周波数解析における任意の周波数範囲（例えば０．０５〜０．５Ｈｚの範囲）における最大ピークを呼吸の周波数として、逆数を計算することによって呼吸数を算出する。
【００５６】
ＣＰＵ３１０は、ディスプレイ３３０、スピーカ３７０、外部へデータを送信するための通信インターフェイス３６０などを介して、単位時間当たりの呼吸数を表示したり、音声出力したりする。また、ＣＰＵ３１０は、所定の期間たとえば数分間毎の図１４に示す計算を行い、当該計算結果を後述する診断グラフ作成のためにメモリ３２０のデータベースに蓄積していく。
【００５７】
本実施の形態においては、ＣＰＵ３１０は、周波数解析における最大ピークの周波数を呼吸の周波数として、当該周波数の逆数を計算することによって呼吸数を算出する。図１９は６０分間の呼吸数測定の結果である。状態判別をしなかった場合には、図１９（ａ）のように測定結果が毎分出力可能であるが、様々な状態での測定結果を含み、また、精度を担保することが困難である。一方、「測定不可能状態」と判別した時間のデータは算出しないことにより、図１９（ｂ）に示すような呼吸数を算出することが可能になり、適切な状態下における呼吸数のみを得ることができる。
【００５８】
より詳細には、バイタルデータを蓄積することは医学的に重要な意義を持つが、一定の環境下（例えば安静時）において測定されたデータを比較・解析することが必要である。特に、長期的にデータを比較する場合や、被測定者（例えば犬）が自ら一定の状態を維持することができない場合には、信頼性をもってバイタルデータを記録するためには、測定時の被測定者の状態を判別することが必要である。特に呼吸数は、随意的に変動するため被測定者が意識的に測定可能な状態を作り出すことが困難であり、現在では、自動的に測定可能かどうかを判別する手段が確立されていない。
【００５９】
しかしながら、測定データ（例えば心電信号）を解析することで被測定者の状態判別を行い、状態の判別結果に基づいて、バイタルデータ（例えば、心電信号から導かれる呼吸数など）を算出し、記録しておくことができる。特に、状態判別の手段としては、「測定中の一定時間（例えば1分間）にわたって、適切な状態を保っていたかどうか」の判別を行う。そして、「適切な状態を保っていたかどうか」の判別基準は、例えば、心拍変動解析を用いて、呼吸による変動周期から定義する。犬などの動物は、動作が見られない場合にも心拍や呼吸数の変化があり、本判別基準は加速度センサ等を用いて動作を解析するよりも高精度に適切な状態を判別できる。また、状態判定とバイタルデータ検出の両方を、心電信号等の単一の測定データから行うことによって、測定装置を小型かつ簡便にすることができる。そして、装置やシステムを小型化することにより、測定者側へのストレスや負荷を減らし、より自然な状態での測定が可能となる。
【００６０】
なお、図１４のステップＳ１１０において、ＣＰＵ３１０は、周波数解析で得られたパワースペクトル分布のなかで、任意の周波数範囲（例えば０．０５Ｈｚ〜０．５Ｈｚの間）において、パワースペクトルの最大ピークを探し、当該ピークからその半値幅までのパワースペクトルの積分値の、全体に占める割合が設定された閾値以上の場合に、呼吸数の測定可能状態と判別してもよい。より詳細には、パワースペクトル分布のなかで、任意の周波数範囲（例えば０．０５〜０．５Ｈｚの間）における最大のピークが、他のパワースペクトルと比較して突出しているか否かを判別できればよく、ＣＰＵ３１０は、他の方法によって「測定可能状態」と判別してもよい。
【００６１】
あるいは、図２０に示すように、ＣＰＵ３１０は、拍動間隔のポアンカレプロットに基づいて、標準偏差や標準偏差の積やその平方根などが所定値よりも大きい場合に対象の生物が安静状態にあると判断してもよい（ステップＳ３０２〜３１２）。そして、ＣＰＵ３１０は、「測定可能状態」と判別された場合に、図１５に示すように、拍動間隔の時系列変化における極大（または極小）点の数を呼吸数として算出してもよい。ＣＰＵ３１０は、所定の期間たとえば数分間毎の図２０に示す計算を行い、当該計算結果を後述する診断グラフ作成のためにメモリ３２０のデータベースに蓄積していく。
＜診断グラフの出力方法＞
【００６２】
上記の通り、本実施の形態においては、信号処理装置５００が取得した図４に示すような信号に基づいて、診断端末３００のＣＰＵ３１０は、各種の診断グラフをディスプレイ３３０に表示させる。たとえば、図２１に示すように、ＣＰＵ３１０は、複数のタイミング毎、たとえば１分毎に算出された自律神経バランスを示す数値や呼吸数に基づいて、横軸が自律神経バランスの数値であって、縦軸が呼吸数の数値である診断グラフを表示したりする。
【００６３】
より詳細には、ＣＰＵ３１０は、メモリ３２０に記憶されるプログラムに基づいて、対象となる個体に関して、診断期間、たとえば数時間や数日間など、の指定を受け付けると、図２２に示すような処理を実行する。ＣＰＵ３１０は、診断期間に属する所定の期間毎に、たとえば一分毎に、図３や図１２に示す処理によって計算した自律神経バランスを示す数値を計算して、診断端末３００のデータベースまたは外部のデータベースに蓄積する（ステップＳ４０２）。ＣＰＵ３１０は、対象となる個体に関して、所定の期間毎に、図１４や図２０に示す処理によって計算した呼吸数を示す数値を計算して、診断端末３００のデータベースまたは外部のデータベースに蓄積する（ステップＳ４０４）。そして、ＣＰＵ３１０は、診断期間に属する複数の所定の期間に対応する自律神経バランスを示す数値と呼吸数を示す数値の計算が終了すると（ステップＳ４０６にてＮＯである場合）、両者の数値の組み合わせのデータを、横軸が自律神経バランスの数値であって縦軸が呼吸数の数値であるグラフにプロットする（ステップＳ４０８）。ＣＰＵ３１０は、当該グラフをディスプレイ３３０に表示させる（ステップＳ４１０）。
＜第２の実施の形態＞
【００６４】
複数の期間に対応する自律神経バランスを示す数値と呼吸数を示す数値のプロットに加えて、ＣＰＵ３１０は、図２３に示すように、プロットの密集具合を解りやすくするための画像も診断グラフ上に表示することが好ましい。本実施の形態においては、ステップＳ４０８において、ＣＰＵ３１０は、メモリ３２０のプログラムに従って、複数の所定期間たとえば数分間に対応する自律神経バランスを示す数値と呼吸数を示す数値の組み合わせに基づいて、プロットの密度に関する等高線を計算して描画する。これによって、グラフの使用に慣れていない獣医も対象となる個体の状態を把握しやすくなる。
【００６５】
なお、プロットが多いエリアを把握しやすくできればよく、等高線の描画方法は既知の方法でよく、特に限定されない。
【００６６】
さらに、ＣＰＵ３１０は、図２４に示すように、ステップＳ４０８において、複数の所定期間たとえば数分間に対応する自律神経バランスを示す数値と呼吸数を示す数値の組み合わせに基づいて、プロットの密度に関する複数のレベルの等高線を計算して描画してもよい。これによって、グラフの使用に慣れていない獣医も対象となる個体の状態をさらに把握しやすくなる。
【００６７】
さらには、ＣＰＵ３１０は、図２５に示すように、ステップＳ４０８において、プロットした期間に関して、複数の第１の所定の期間毎の、たとえば１日毎の、複数の第２の所定期間たとえば数分間に対応する自律神経バランスを示す数値と呼吸数を示す数値の組み合わせに基づいて、プロットの密度に関する等高線を計算して描画してもよい。
【００６８】
たとえば、ＣＰＵ３１０は、ステップＳ４０８において、以下の処理を実行する。すなわち、ＣＰＵ３１０は、複数日にわたる測定期間に関して、複数の所定期間たとえば数分間毎に対応する自律神経バランスを示す数値と呼吸数を示す数値の組み合わせをプロットする。そして、ＣＰＵ３１０は、１日目の複数の所定期間たとえば数分間に対応する自律神経バランスを示す数値と呼吸数を示す数値の組み合わせに基づいて、１日目のプロットの密度に関する等高線を計算して描画する。同様に、ＣＰＵ３１０は、２日目の複数の所定期間たとえば数分間に対応する自律神経バランスを示す数値と呼吸数を示す数値の組み合わせに基づいて、２日目のプロットの密度に関する等高線を計算して描画する。ＣＰＵ３１０は、３日目の複数の所定期間たとえば数分間に対応する自律神経バランスを示す数値と呼吸数を示す数値の組み合わせに基づいて、３日目のプロットの密度に関する等高線を計算して描画する。これによって、獣医は、対象となる個体が安定した状態にあるときのプロットの集合を認識することができ、その結果、当該固体の状態をより正確に把握しやすくなる。
【００６９】
なお、異なる期間に関するプロットや等高線は、線の種類や色を変えたり、点の種類や色を変えたりしてもよい。
＜第３の実施の形態＞
【００７０】
複数の期間に対応する自律神経バランスを示す数値と呼吸数を示す数値のプロットに加えて、ＣＰＵ３１０は、図２６に示すように、自律神経バランスを示す数値と呼吸数を示す数値との組み合わせに関して、被測定者の精神的状態または肉体的状態の判定基準となる範囲をも診断グラフ上に表示することが好ましい。本実施の形態においては、ステップＳ４０８において、ＣＰＵ３１０は、メモリ３２０のプログラムに従って、複数の期間に対応する自律神経バランスを示す数値と呼吸数を示す数値の組み合わせのプロットと、予めメモリ３２０に記憶されている正常な範囲とを重ねてグラフに表示する。これによって、診断グラフの使用に慣れていない獣医も対象となる個体の状態を把握しやすくなる。正常な範囲を診断グラフ上に表示するだけでなく、被測定者の精神的状態の判定基準として被測定者がリラックスしている状態や興奮している状態にある範囲も診断グラフ上に表示してもよい。また、被測定者の肉体的状態の判定基準として、循環器系の疾病など特定の疾病が疑われる範囲を図示してもよい。さらに、被測定者の精神的状態または肉体的状態を数段階に分けて表示してもよい。例えば、被測定者が特定の疾病を患っている可能性を数段階に分けて診断グラフ上に表示してもよい。
＜第４の実施の形態＞
【００７１】
さらには、ＣＰＵ３１０は、図２６に示すように、ステップＳ４０８において、複数の個体に関して、複数の所定期間に対応する自律神経バランスを示す数値と呼吸数を示す数値の組み合わせを、診断グラフにプロットしてもよい。
【００７２】
あるいは、ＣＰＵ３１０は、図２６に示すように、ステップＳ４０８において、複数の個体に関して、複数の所定期間に対応する自律神経バランスを示す数値と呼吸数を示す数値の組み合わせに基づいて、複数の個体の状態をプロットしつつ、複数の個体の等高線を描画したりしてもよい。
【００７３】
たとえば、ＣＰＵ３１０は、ステップＳ４０８において、以下の処理を実行する。すなわち、ＣＰＵ３１０は、複数の個体に関して、複数の所定期間たとえば数分間毎に対応する自律神経バランスを示す数値と呼吸数を示す数値の組み合わせをプロットする。そして、ＣＰＵ３１０は、１匹目の自律神経バランスを示す数値と呼吸数を示す数値の組み合わせに基づいて、１匹目のプロットの密度に関する等高線を計算して描画する。同様に、ＣＰＵ３１０は、２匹目の自律神経バランスを示す数値と呼吸数を示す数値の組み合わせに基づいて、２匹目のプロットの密度に関する等高線を計算して描画する。ＣＰＵ３１０は、３匹目の自律神経バランスを示す数値と呼吸数を示す数値の組み合わせに基づいて、３匹目のプロットの密度に関する等高線を計算して描画する。
【００７４】
この場合も、ＣＰＵ３１０が、正常な範囲をグラフに重ねて表示すると好ましい。たとえば、獣医は、図２６のようなグラフに関しては、個体Ａは健常と判断できる。個体Ｂも呼吸数は高いものの何らかの理由で興奮状態が多かったことが原因と分かり健常と判断できる。一方、正常な範囲から外れた個体Ｃは正常な範囲から外れて呼吸数が高くなっているため循環器系の疾病等が疑われる。
【００７５】
なお、異なる期間に関するプロットや等高線は、線の種類や色を変えたり、点の種類や色を変えたりしてもよい。
【００７６】
そして、ＣＰＵ３１０は、獣医などのユーザからの指定に基づいて、プロットと等高線の表示や、プロットのみの表示や、等高線のみの表示を切り替えられることが好ましい。
＜第５の実施の形態＞
【００７７】
なお当然ながら、自律神経バランスを示す数値と呼吸数を示す数値のグラフに限らず、図２７に示すように、ＣＰＵ３１０はメモリ３２０のプログラムに従って、横軸に自律神経バランスが、縦軸に心拍数が設定されたグラフに、複数の期間毎のデータをプロットした画像をディスプレイ３３０に表示させてもよい。図２７に関しては、個体Ａおよび個体Ｂに関しては自律神経バランスに応じて心拍数が出ているので正常である。一方、個体Ｃについては自律神経バランスに比べて心拍数が低く、徐脈の疑いがあると判定できる。
【００７８】
また、図２８に示すように、ＣＰＵ３１０はメモリ３２０のプログラムに従って、横軸に活動量が、縦軸に呼吸数が設定されたグラフに、複数の期間毎のデータをプロットした画像をディスプレイ３３０に表示させてもよい。図２８に関しては、活動量に応じて呼吸数が上がるＡおよびＢは正常だが、活動量の増加に対して過度な呼吸数の上昇を見せる個体Ｃについては、何らかの呼吸器系の疾患が疑われる。なお、ここでは活動量として、個体の各部に取り付けた加速度センサから取得した個体の各部の加速度の分散値で規定するがその限りではない。
【００７９】
また、自律神経バランスを示す数値に関しても、ポアンカレプロットの標準偏差や標準偏差の積に限らず、ポアンカレプロットの連続する２つのプロット間の距離の平均を利用したり、その他のポアンカレブロットのばらつきを示す数値を利用したり、ポアンカレプロット以外の他の計算方法を利用してもよい。
【００８０】
また、上記の実施の形態では、心電取得用の電極４０１，４０２，４０３を用いて拍動間隔を算出しているが、このような形態には限られない。例えば、光電脈波方式の脈波計やパルスオキシメータによって脈波信号を取得し、脈波信号から拍動間隔を算出してもよい。この場合は、脈波の測定部位は、舌、耳などをはじめとした皮膚が露出した部位であることが好ましい。また、電子聴診器などにより心音信号を取得し、心音信号か拍動間隔を算出してもよい。これらこの場合、電極を使用しない方法での測定が可能となる。マイクロ波ドップラーセンサ等の脈波取得センサを利用して、脈波信号を取得し、脈波信号から拍動間隔を算出してもよい。たとえば、マイクロ波発信装置が天井等に設置されており、非接触で犬などの生物からの脈波を取得する形態が考えられる。この場合には、非接触での測定が可能となり、被測定者への負荷をより軽減する効果がある。
＜第６の実施の形態＞
【００８１】
上記の実施の形態にかかる情報処理システム１は、電極４０１，４０２，４０３からの心電信号に基づいて信号処理装置５００が拍動間隔を取得し、診断端末３００が拍動間隔から生物の状態を判断するための情報または生物の状態の判定結果の情報を算出して出力するものであった。しかしながら、それらの１つの装置の全部または一部の役割が、別の装置によって担われてもよいし、複数の装置によって分担されてもよい。逆に、それら複数の装置の全部または一部の役割を、１つの装置が担ってもよいし、別の装置が担ってもよい。
【００８２】
例えば、図２９に示すように、診断端末３００が信号処理装置５００の全部または一部の機能を搭載するものであってもよい。この場合は、診断端末３００は、簡易信号処理装置５０１から、電極４０１，４０２，４０３からの心電信号を無線通信によって取得する。電極からの心電信号は、最低限のフィルタ装置、増幅装置及びＡ／Ｄ変換装置を含む簡易心電前処理部５７０によりデジタル信号に変換され、送信部５６０から送信される。診断端末３００は、心電信号から拍動間隔や生物の状態を判断するための情報または生物の状態の判定結果の情報を算出する。そして、診断端末３００が最終的な結果の情報をディスプレイやスピーカに出力する。
【００８３】
あるいは、図３０に示すように、信号処理装置５００が診断端末３００の全部または一部の機能を搭載するものであってもよい。この場合は、電極４０１，４０２，４０３からの心電信号に基づいて、信号処理装置５００が拍動間隔や生物の状態を判断するための情報または生物の状態の判定結果の情報を算出する。そして、信号処理装置５００が最終的な結果の情報をディスプレイやスピーカに出力する。
【００８４】
あるいは、図３１に示すように、診断端末３００の役割をサーバ１００が担ってもよい。この場合は、サーバ１００が、上記の実施の形態の診断端末３００の機能を搭載することになる。例えば、診断端末３００としての通信端末が信号処理装置５００からの拍動間隔などの必要な情報をルータやキャリア網やインターネットなどを介してサーバ１００に送信する。サーバ１００が生物の状態を判断するための情報または生物の状態の判定結果を示す情報を算出し、当該情報を診断端末３００に送信する。診断端末３００が最終的な結果の情報をディスプレイやスピーカに出力することが考えられる。
【００８５】
なお、この場合は、当然に、サーバ１００の受信部１６１や送信部１６２は、サーバ１００の通信インターフェイス１６０によって実現される。そして、拍動間隔記憶部１２１やデータ記憶部１２２は、サーバ１００のメモリ１２０またはサーバ１００からアクセス可能な他の装置などによって実現される。統計処理部１１１や診断グラフ作成部１１２や結果出力部１１３は、ＣＰＵ１１０がメモリ１２０のプログラムを実行することによって実現される。
【００８６】
あるいは、図３２に示すように、信号処理装置５００が拍動間隔などの必要な情報をルータやキャリア網やインターネットなどを介してサーバ１００に送信する。サーバ１００が生物の状態を判断するための情報または生物の状態の判定結果の情報を算出して、当該情報をインターネットやキャリア網やルータなどを介して診断端末３００としての通信端末に送信する。診断端末３００が最終的な結果の情報をディスプレイやスピーカに出力する。この場合は、信号処理装置５００と診断端末３００とは無線ＬＡＮまたは有線ＬＡＮで接続されていなくてもよい。
【００８７】
なお、この場合も、当然に、サーバ１００の受信部１６１や送信部１６２は、サーバ１００の通信インターフェイス１６０によって実現される。そして、拍動間隔記憶部１２１やデータ記憶部１２２は、サーバ１００のメモリ１２０またはサーバ１００からアクセス可能な他の装置などによって実現される。統計処理部１１１や診断グラフ作成部１１２や結果出力部１１３は、ＣＰＵ１１０がメモリ１２０のプログラムを実行することによって実現される。
【００８８】
上記の実施の形態の説明においては、「ポアンカレプロット」を行う処理や「ポアンカレプロット処理後の軸変換」を行う処理について述べられているが、当該処理は、診断端末３００・サーバ１００・信号処理装置５００のＣＰＵが実際に紙媒体やディスプレイにポアンカレプロットの画像を印刷したり表示したりすることに限定されるべきではない。当該処理は、たとえば、ＣＰＵが、メモリに、実質的にポアンカレプロットを示すデータを格納したり展開したりする処理をも含む概念である。
＜その他の応用例＞
【００８９】
本開示は、システム或いは装置にプログラムを供給することによって達成される場合にも適用できることはいうまでもない。そして、本開示を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本開示の効果を享受することが可能となる。
【００９０】
この場合、記憶媒体から読出されたプログラムコード自体が前述した実施の形態の機能を実現することになり、そのプログラムコードを記憶した記憶媒体は本開示を構成することになる。
【００９１】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【００９２】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜まとめ＞
【００９３】
上記の実施の形態においては、ディスプレイ３３０と、生物に関するバイタルデータを取得して、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像をディスプレイ３３０に表示させるためのプロセッサ３１０とを備える、情報処理装置が提供される。
【００９４】
好ましくは、プロセッサ３１０は、グラフとともに、生物の精神的状態または肉体的状態の判定基準となる範囲をディスプレイ３３０に表示させる。
【００９５】
好ましくは、プロセッサ３１０は、グラフとともに、生物の種類に関して正常な範囲をディスプレイ３３０に表示させる。
【００９６】
好ましくは、プロセッサ３１０は、グラフとともに、プロットの密度を示す等高線をディスプレイ３３０に表示させる。
【００９７】
好ましくは、プロセッサ３１０は、グラフとともに、所定の期間毎のプロットの密度を示す等高線をディスプレイ３３０に表示させる。
【００９８】
上記の実施の形態においては、生物に関するバイタルデータを取得するステップと、複数のタイミング毎の生物の自律神経バランスを示す数値を計算するステップと、複数のタイミング毎の生物の自律神経バランスとは異なる種類のバイタルデータに基づく数値を計算するステップと、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像をディスプレイ３３０に表示させるステップと、をプロセッサ３１０に実行させる状態取得プログラムが提供される。
【００９９】
上記の実施の形態においては、図３１および図３２に示したように、上記の実施の形態においては、出力装置３００と通信するための通信インターフェイス１６０と、通信インターフェイス１６０を介して、生物に関するバイタルデータを取得して、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像を出力装置３００に表示させるためのプロセッサ１１０とを備える、サーバ１００が提供される。
【０１００】
上記の実施の形態においては、図３１および図３２に示したように、上記の実施の形態においては、サーバ１００における情報処理方法が提供される。情報処理方法は、生物に関するバイタルデータを受信するステップと、複数のタイミング毎に生物の自律神経バランスを示す数値を計算するステップと、複数のタイミング毎に生物の自律神経バランスとは異なる種類のバイタルデータに基づく数値を計算するステップと、横軸および縦軸の一方が生物の自律神経バランスを示し、横軸および縦軸の他方が生物の自律神経バランスとは異なる種類のバイタルデータに基づく数値を示すグラフに、生物に関する複数のタイミング毎のデータをプロットした画像を出力装置３００に表示させるステップとを備える。
【０１０１】
今回開示された実施の形態はすべての点で例示であって制限的なものではないと考えられるべきである。本開示の範囲は、上記した説明ではなく、特許請求の範囲によって示され、特許請求の範囲と均等の意味および範囲内でのすべての変更が含まれることが意図される。
【符号の説明】
【０１０２】
１        ：情報処理システム
１００    ：サーバ
１１０    ：ＣＰＵ
１１１    ：統計処理部
１１２    ：診断グラフ作成部
１１３    ：結果出力部
１２０    ：メモリ
１２１    ：拍動間隔記憶部
１２２    ：データ記憶部
１６０    ：通信インターフェイス
１６１    ：受信部
１６２    ：送信部
３００    ：診断端末
３１０    ：ＣＰＵ
３１１    ：統計処理部
３１２    ：診断グラフ作成部
３１３    ：結果出力部
３２０    ：メモリ
３２１    ：拍動間隔記憶部
３２１Ａ  ：対応関係テーブル
３２２    ：データ記憶部
３３０    ：ディスプレイ
３６０    ：通信インターフェイス
３６１    ：受信部
３６２    ：送信部
３７０    ：スピーカ
４０１    ：電極
４０２    ：電極
４０３    ：電極
５００    ：信号処理装置
５０１    ：簡易信号処理装置
５１１    ：心電前処理部
５１２    ：拍動間隔算出部
５６０    ：送信部
５７０    ：簡易心電前処理部
【図１】
2019107266.tif 000003
【図２】
2019107266.tif 000004
【図３】
2019107266.tif 000005
【図４】
2019107266.tif 000006
【図５】
2019107266.tif 000007
【図６】
2019107266.tif 000008
【図７】
2019107266.tif 000009
【図８】
2019107266.tif 000010
【図９】
2019107266.tif 000011
【図１０】
2019107266.tif 000012
【図１１】
2019107266.tif 000013
【図１２】
2019107266.tif 000014
【図１３】
2019107266.tif 000015
【図１４】
2019107266.tif 000016
【図１５】
2019107266.tif 000017
【図１６】
2019107266.tif 000018
【図１７】
2019107266.tif 000019
【図１８】
2019107266.tif 000020
【図１９】
2019107266.tif 000021
【図２０】
2019107266.tif 000022
【図２１】
2019107266.tif 000023
【図２２】
2019107266.tif 000024
【図２３】
2019107266.tif 000025
【図２４】
2019107266.tif 000026
【図２５】
2019107266.tif 000027
【図２６】
2019107266.tif 000028
【図２７】
2019107266.tif 000029
【図２８】
2019107266.tif 000030
【図２９】
2019107266.tif 000031
【図３０】
2019107266.tif 000032
【図３１】
2019107266.tif 000033
【図３２】
2019107266.tif 000034
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
ディスプレイと、
生物に関するバイタルデータを取得して、横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する複数のタイミング毎のデータをプロットした画像を前記ディスプレイに表示させるためのプロセッサとを備える、情報処理装置。
【請求項２】
前記プロセッサは、前記横軸および前記縦軸の一方が前記生物の自律神経バランスを示し、前記横軸および縦軸の他方が前記生物の呼吸数を示すグラフに、前記生物に関する複数のタイミング毎のデータをプロットした画像を前記ディスプレイに表示させる、請求項１に記載の情報処理装置。
【請求項３】
前記プロセッサは、前記横軸および前記縦軸の一方が前記生物の自律神経バランスを示し、前記横軸および縦軸の他方が前記生物の心拍数を示すグラフに、前記生物に関する複数のタイミング毎のデータをプロットした画像を前記ディスプレイに表示させる、請求項１に記載の情報処理装置。
【請求項４】
前記プロセッサは、前記グラフとともに、前記生物の精神的状態または肉体的状態の判定基準となる範囲を前記ディスプレイに表示させる、請求項１から３のいずれか１項に記載の情報処理装置。
【請求項５】
前記プロセッサは、前記グラフとともに、前記生物の種類に関して正常な範囲を前記ディスプレイに表示させる、請求項１から４のいずれか１項に記載の情報処理装置。
【請求項６】
前記プロセッサは、前記グラフとともに、前記プロットの密度を示す等高線を前記ディスプレイに表示させる、請求項１から５のいずれか１項に記載の情報処理装置。
【請求項７】
前記プロセッサは、前記グラフとともに、所定の期間毎の前記プロットの密度を示す等高線を前記ディスプレイに表示させる、請求項１から５のいずれか１項に記載の情報処理装置。
【請求項８】
生物に関するバイタルデータを取得するステップと、
複数のタイミング毎の前記生物の自律神経バランスを示す数値を計算するステップと、
前記複数のタイミング毎の前記生物の自律神経バランスとは異なる種類の前記バイタルデータに基づく数値を計算するステップと、
横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する前記複数のタイミング毎のデータをプロットした画像をディスプレイに表示させるステップと、をプロセッサに実行させる状態取得プログラム。
【請求項９】
出力装置と通信するための通信インターフェイスと、
前記通信インターフェイスを介して、生物に関するバイタルデータを取得して、横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する複数のタイミング毎のデータをプロットした画像を前記出力装置に表示させるためのプロセッサとを備える、サーバ。
【請求項１０】
サーバにおける情報処理方法であって、
生物に関するバイタルデータを受信するステップと、
複数のタイミング毎に前記生物の自律神経バランスを示す数値を計算するステップと、
前記複数のタイミング毎に前記生物の自律神経バランスとは異なる種類の前記バイタルデータに基づく数値を計算するステップと、
横軸および縦軸の一方が前記生物の自律神経バランスを示し、横軸および縦軸の他方が前記生物の前記自律神経バランスとは異なる種類の前記バイタルデータに基づく数値を示すグラフに、前記生物に関する前記複数のタイミング毎のデータをプロットした画像を出力装置に表示させるステップとを備える情報処理方法。
【国際調査報告】
2019107266.tif 000035
2019107266.tif 000036
2019107266.tif 000037
2019107266.tif 000038